(57)【要約】【課題】無線端末装置におけるマルチキャリア信号の受信処理での高速フーリエ変換に伴う演算量、計算時間、消費電力を削減する。【解決手段】ＯＦＤＭＡシステムを構成する無線端末装置１０において、高速フーリエ変換部１５の前段に、ディジタル信号のサンプリング数を、送信元のＩＦＦＴサイズ（Ｎポイント）から間引く間引き処理部１４を配置するとともに、基地局から受信した下りフレーム３０に含まれるダウンリンクマップ３２に基づいて、サンプリング（ポイント）数の間引きによる高速フーリエ変換部１５の折り返し信号の重なりの有無を判別する判定部１７を設け、折り返し信号の重なりが発生しない場合に、サンプリング数の間引きを行って、高速フーリエ変換部１５におけるＦＦＴの演算量、演算時間、消費電力の削減を実現する。【選択図】図１
2007259326.tif 000002
【特許請求の範囲】
【請求項１】
複数の無線端末装置に対する送信情報が割り当てられた複数のサブキャリアに対してＮポイント（Ｎは自然数）の逆高速フーリエ変換を行うことで生成されたマルチキャリア信号を受信する受信手段と、
前記マルチキャリア信号から複数の前記サブキャリアを取り出す高速フーリエ変換手段と、
前記高速フーリエ変換手段の前段に配置され、ディジタル化された前記マルチキャリア信号のサンプリング数を前記Ｎポイントから変化させることが可能な間引き手段と、
前記サンプリング数を前記Ｎポイントから変化させた場合に他の無線端末装置と自無線端末装置の前記サブキャリア同士が重なるか否かを、前記マルチキャリア信号に随伴するサブキャリア割り当て情報に基づいて判別し、前記間引き手段におけるサンプリング数を決定する判定手段と、
を含むことを特徴とする無線端末装置。
【請求項２】
請求項１記載の無線端末装置において、
前記判定手段は、前記サンプリング数を（Ｎ／２ｍ）ポイント（ｍは１以上の自然数）としたときに、他の無線端末装置と自無線端末装置の前記サブキャリア同士が重ならない場合に、前記間引き手段における前記サンプリング数を前記（Ｎ／２ｍ）ポイントに設定することを特徴とする無線端末装置。
【請求項３】
請求項１記載の無線端末装置において、
前記間引き手段の上流側に、自無線端末装置に割り当てられた前記サブキャリア信号を選択的に通過させるように前記マルチキャリア信号の帯域に制限を加えるフィルタ手段をさらに備えたことを特徴とする無線端末装置。
【請求項４】
複数の無線端末装置に対する送信情報が割り当てられた複数のサブキャリアに対してＮポイント（Ｎは自然数）の逆高速フーリエ変換を行うことでマルチキャリア信号を生成して前記無線端末に送信する無線基地局の制御方法であって、
前記無線端末装置において、前記マルチキャリア信号に高速フーリエ変換を行って複数の前記サブキャリアを取り出すときのサンプリング数を前記Ｎポイントから変更したときに、前記サブキャリアの折り返し信号が重ならないように、前記送信情報の前記サブキャリアに対する割り当てを行う第１割り当て方法、
および前記無線端末装置において、前記マルチキャリア信号に高速フーリエ変換を行って複数の前記サブキャリアを取り出すときのサンプリング数を前記Ｎポイントから変更したときに折り返しの関係となる複数の前記サブキャリアに、同一の前記送信情報を割り当てる第２割り当て方法、
の少なくとも一方を、前記無線基地局に実行させることを特徴とする無線基地局の制御方法。
【請求項５】
複数の無線端末装置に対する送信情報が割り当てられた複数のサブキャリアに対してＮポイント（Ｎは自然数）の逆高速フーリエ変換を行うことで生成されたマルチキャリア信号を受信する第１ステップと、
前記マルチキャリア信号に随伴するサブキャリア割り当て情報を取得する第２ステップと、
前記マルチキャリア信号に高速フーリエ変換を行って複数の前記サブキャリアを取り出すとき、前記サブキャリア割り当て情報に基づいて、サンプリング数を前記Ｎポイントから変化させる第３ステップと、
を含むことを特徴とする無線端末装置の制御方法。
【発明の詳細な説明】
【技術分野】
【０００１】
本発明は、無線端末装置、無線基地局の制御方法、無線端末装置の制御方法に関し、たとえば、直交周波数分割多重アクセス（ＯＦＤＭＡ（Orthogonal Frequency Division Multiple Access）などのように、送受信の信号処理において高速フーリエ変換（ＦＦＴ）を行う無線通信システムにおける無線送受信技術に適用して有効な技術に関する。
【背景技術】
【０００２】
たとえば、特許文献１に記載されているように、ＯＦＤＭＡ伝送方式では、各ユーザ（端末受信器）に単一もしくは複数のサブキャリアを割り当てて、基地局と複数のユーザとの間で通信を行う。例えば、基地局においてＮポイント逆高速フーリエ変換（ＩＦＦＴ）によりＯＦＤＭＡ信号を生成し、端末受信器において受信する場合について考える。端末受信器は、受信した時間信号を高速フーリエ変換（ＦＦＴ）し、周波数領域の信号に変換し、自身に割り当てられた帯域のサブキャリア信号を選択して、その後のサブキャリア復調処理を行う。従って、端末受信器は複数のユーザ宛てのデータを含む時間信号を一括してＦＦＴする。
【０００３】
送信器（基地局）においてＮポイントＩＦＦＴサイズでＯＦＤＭＡ信号が生成された場合、受信器においてもＮポイントＦＦＴを行う。受信器においてＮポイント以下（Ｎ／２やＮ／４など）でＦＦＴを行うと、自身に割り当てられたサブキャリアに他ユーザのサブキャリアが折り重なり、正常に受信できない。
【０００４】
しかし、基地局において大きなＦＦＴサイズ（Ｎ＝２０４８ポイントなど）で信号生成して送信した場合、受信器においても同じサイズのＦＦＴを行うと、端末受信器におけるＦＦＴ演算量及び計算時間が大きくなり、消費電力も大きくなってしまうという技術的課題がある。
【０００５】
ＦＦＴによる消費電力を低減させる従来技術として、上述の特許文献１が存在する。当該特許文献１では、通信トラフィックが小さい時に、送信信号のサブキャリアを２のべき乗間隔に並び替えてから逆フーリエ変換することで、送信信号のＩＦＦＴサイズを減少させ、当該送信信号を受信する際にも送信側のＩＦＦＴと同じポイント数でＦＦＴすることが可能である。これにより送受信システム内でＦＦＴのポイント数を削減しようとしている。
【０００６】
しかし、当該特許文献１は、端末受信器側のＦＦＴポイント数を削減するためには、送信側で２のべき乗間隔にユーザのサブキャリアを並べ替える（互い違いに配置する）必要があり、各ユーザに隣接サブキャリアを割り当てて伝送する場合には当該特許文献１の技術を利用することができない。また、当該特許文献１の技術では、例えば基地局側からＮ／２ポイントで送信したとき、受信側は同じくＮ／２ポイントになるのであって、送信側よりも少ないＮ／４ポイントやＮ／８ポイントのＦＦＴサイズにすることはできない。
【０００７】
一方、特許文献２には、無線受信装置において、基地局から受信したマルチキャリア信号の使用周波数帯の全域における伝播路状態を判定し、ＯＦＤＭの使用周波数帯の中から、伝播路状態の良好な周波数帯域を特定して、基地局に通知することにより、周波数スケジューリングのための通信データ量の削減および受信装置の消費電力の削減を実現しようとする技術が開示されている。
【０００８】
しかし、受信装置におけるＦＦＴサイズの変更については言及していない。
【特許文献１】特開平１１−３４６２０３号公報
【特許文献２】特開２００５−２４４９５８号公報
【発明の開示】
【発明が解決しようとする課題】
【０００９】
本発明の目的は、無線端末装置におけるマルチキャリア信号の受信処理での高速フーリエ変換に伴う演算量、計算時間、消費電力を削減することが可能な技術を提供することにある。
【００１０】
本発明の他の目的は、複数の無線端末装置に対する送信情報と複数のサブキャリアの割り当て方法に影響されることなく、無線端末装置におけるマルチキャリア信号の受信処理での高速フーリエ変換に伴う演算量、計算時間、消費電力を削減することが可能な技術を提供することにある。
【００１１】
本発明の他の目的は、無線端末装置におけるマルチキャリア信号の受信処理での受信感度の向上を実現することが可能な技術を提供することにある。
【課題を解決するための手段】
【００１２】
本発明の第１の観点は、複数の無線端末装置に対する送信情報が割り当てられた複数のサブキャリアに対してＮポイント（Ｎは自然数）の逆高速フーリエ変換を行うことで生成されたマルチキャリア信号を受信する受信手段と、
前記マルチキャリア信号から複数の前記サブキャリアを取り出す高速フーリエ変換手段と、
前記高速フーリエ変換手段の前段に配置され、ディジタル化された前記マルチキャリア信号のサンプリング数を前記Ｎポイントから変化させることが可能な間引き手段と、
前記マルチキャリア信号に随伴するサブキャリア割り当て情報に基づいて前記サンプリング数を前記Ｎポイントから変化させた場合に他の無線端末装置と自無線端末装置の前記サブキャリア同士が重なるか否かを判別し、前記間引き手段におけるサンプリング数を決定する判定手段と、
を含む無線端末装置を提供する。
【００１３】
本発明の第２の観点は、複数の無線端末装置に対する送信情報が割り当てられた複数のサブキャリアに対してＮポイント（Ｎは自然数）の逆高速フーリエ変換を行うことでマルチキャリア信号を生成して前記無線端末に送信する無線基地局の制御方法であって、
前記無線端末装置において、前記マルチキャリア信号に高速フーリエ変換を行って複数の前記サブキャリアを取り出すときのサンプリング数を前記Ｎポイントから変更したときに、前記サブキャリアの折り返し信号が重ならないように、前記送信情報の前記サブキャリアに対する割り当てを行う第１割り当て方法、
および前記無線端末装置において、前記マルチキャリア信号に高速フーリエ変換を行って複数の前記サブキャリアを取り出すときのサンプリング数を前記Ｎポイントから変更したときに折り返しの関係となる複数の前記サブキャリアに、同一の前記送信情報を割り当てる第２割り当て方法、
の少なくとも一方を、前記無線基地局に実行させる無線基地局の制御方法を提供する。
【００１４】
本発明の第３の観点は、複数の無線端末装置に対する送信情報が割り当てられた複数のサブキャリアに対してＮポイント（Ｎは自然数）の逆高速フーリエ変換を行うことで生成されたマルチキャリア信号を受信する第１ステップと、
前記マルチキャリア信号に随伴するサブキャリア割り当て情報を取得する第２ステップと、
前記マルチキャリア信号に高速フーリエ変換を行って複数の前記サブキャリアを取り出すとき、前記サブキャリア割り当て情報に基づいて、サンプリング数を前記Ｎポイントから変化させる第３ステップと、
を含む無線端末装置の制御方法を提供する。
【００１５】
すなわち、本発明では、一例として基地局は、送信情報としての各ＯＦＤＭＡシンボルに対してＮポイントの逆高速フーリエ変換（ＩＦＦＴ）を行い、送信信号を生成する。無線端末装置は、始めに下り信号のサブキャリア割り当て情報を含むシンボルを復号して、自身と他ユーザのサブキャリア割り当て情報を取得する。次に、当該サブキャリア割り当て情報をもとに、ＦＦＴサイズをＮ／２ポイントに変更した場合に他ユーザが自身に割り当てられたサブキャリアに重なるかどうかを判断する。重ならないと判断した場合、以降の下り信号の各シンボルに対して、Ｎ／２サンプルに間引きし、シリアル・パラレル変換（Ｓ／Ｐ変換）により並列データに変換し、Ｎ／２ポイントＦＦＴを行い、パラレル・シリアル変換（Ｐ／Ｓ変換）により直列データに変換する。
【００１６】
これにより、以下の効果を奏する。
（１）基地局から送られてくるサブキャリア割り当て情報を取得することで、端末においてＦＦＴサイズを変更することが可能かどうか判断することができる。また、どのタイミングでＦＦＴサイズを変更すれば良いのかも分かる。従来にはこのようなシステムはなかった。
【００１７】
（２）折り返し信号を利用することで、ＮポイントＦＦＴで送られてきた信号を、Ｎ／２ポイントＦＦＴで受信することが可能である。すなわち、仮に送信をＮ／２ポイントＦＦＴであった場合には、受信はＮ／４ポイントＦＦＴとなる。
【００１８】
（３）基地局から送られてくるサブキャリア割り当て情報を受信してＦＦＴサイズを変更するため、端末側に閉じた形で利用可能であるため、汎用性も高い。
（４）信号の折り返しを利用するので、各ユーザが隣接サブキャリアを使用している場合でも、サブキャリアが互い違いに配置されている場合でも利用可能である。
【００１９】
この場合、無線端末装置の受信器における間引き数を、Ｎ／２をＮ／４、Ｎ／８、・・・（分母は２のべき乗（２ｍ：ｍ＝１，２，３・・・））にする。
これにより、受信信号が複数回折り返される。ＮポイントＩＦＦＴで送信された信号を、Ｎ／４、Ｎ／８．．．のより小さなＦＦＴサイズで受信することができる。
【００２０】
また、基地局は、各ＯＦＤＭＡシンボルに対してＮポイントの逆高速フーリエ変換（ＩＦＦＴ）を行い、送信信号を生成する。無線端末装置は、始めに下り信号のサブキャリア割り当て情報を含むシンボルを復号して、自身と他ユーザのサブキャリア割り当て情報を取得する。次に、当該サブキャリア割り当て情報をもとに、ＦＦＴサイズをＮ／２ポイントに変更した場合に他ユーザが自身に割り当てられたサブキャリアに重なるかどうかを判断する。重なると判断した場合、以降の下り信号をイメージ除去フィルタにより帯域制限する。次に、帯域制限された各シンボルに対して、Ｎ／２サンプルに間引きし、シリアル・パラレル変換（Ｓ／Ｐ変換）により並列データに変換し、Ｎ／２ポイントＦＦＴを行い、パラレル・シリアル変換（Ｐ／Ｓ変換）により直列データに変換する。
【００２１】
これにより、無線端末装置の受信器でＦＦＴサイズの変更を行った場合に自身に割り当てられたサブキャリアに折り重なる他ユーザの信号を減衰させ、自装置宛ての送信情報を的確に受信することができる。
【００２２】
この場合、イメージ除去フィルタは、ディジタルフィルタで構成することができる。イメージ除去フィルタにディジタルフィルタを利用することにより、ＲＦアナログ信号処理部の複雑さを増やさずにイメージ除去が実現可能である。
【００２３】
あるいは、イメージ除去フィルタは、アナログフィルタで構成することができる。イメージ除去フィルタにアナログフィルタを利用することにより、ディジタル信号処理部の複雑さを増やさずにイメージ除去が実現可能である。
【００２４】
あるいは、イメージ除去フィルタは、用意されている複数のフィルタの中から、サブキャリア割り当て情報をもとに自身に割り当てられたサブキャリアに最も近いフィルタが選択される構成とすることができる。
【００２５】
これにより、各ユーザのサブキャリア割り当てが変わったとしても、複数の種類のフィルタから自身に割り当てられたサブキャリア帯域に最も近いフィルタを選択することで、対応が可能となる。
【００２６】
このイメージ除去フィルタを用いて帯域制限を行う場合でも、間引き数Ｎ／２をＮ／４、Ｎ／８、・・・（分母は２のべき乗）にすることができる。
このように、Ｎ／４，Ｎ／８．．．になると、折り返し回数が多く、自無線端末装置に割り当てられたサブキャリアに他の信号が重なりやすい。フィルタによる帯域制限と組み合わせることで、よりＦＦＴのサイズを変更させる機会を多くすることが可能となる。
【００２７】
また、本発明の場合、基地局はサブキャリア割り当てを行う際に、それぞれの無線端末装置（ユーザ）がＦＦＴサイズを変更したときに折り返し信号が重なることのないように割り当てを行う。
【００２８】
これにより、無線端末装置の受信器がＦＦＴサイズを変更することができる機会を増やすことができる。
また、本発明では、基地局において、ＦＦＴサイズを変更すると折り返しの関係となるサブキャリアに同一のデータを割り当てて、ＮポイントＦＦＴにより信号生成を行う。
【００２９】
これにより、無線端末装置における受信器でのＳＮ比、受信感度が改善される。
【発明の効果】
【００３０】
本発明によれば、無線端末装置におけるマルチキャリア信号の受信処理での高速フーリエ変換に伴う演算量、計算時間、消費電力を削減することが可能となる。
また、複数の無線端末装置に対する送信信号と複数のサブキャリアの割り当て方法に影響されることなく、無線端末装置におけるマルチキャリア信号の受信処理での高速フーリエ変換に伴う演算量、計算時間、消費電力を削減することが可能となる。
【００３１】
また、無線端末装置におけるマルチキャリア信号の受信処理での受信感度の向上を実現することが可能となる。
【発明を実施するための最良の形態】
【００３２】
以下、図面を参照しながら、本発明の実施の形態について詳細に説明する。
（実施の形態１）
図１は、本発明の一実施の形態である無線端末装置の制御方法を実施する無線端末装置の受信処理系の構成の一例を示す概念図であり、図２は、本実施の形態の無線端末装置を含む無線通信システム（ＯＦＤＭＡ伝送システム）の構成の一例を示す概念図である。
【００３３】
図２に例示されるように、本実施の形態の無線通信システムは、基地局２０と、その配下の複数の無線端末装置１０（たとえば、＃１〜＃４）を含んでいる。
図１に例示されるように、本実施の形態の無線端末装置１０の受信処理系は、アンテナ１１、無線受信部１２、Ａ／Ｄ変換部１３、間引き処理部１４、Ｓ／Ｐ変換器１５ａ、高速フーリエ変換部１５、Ｐ／Ｓ変換器１５ｂ、復調処理部１６、判定部１７（判定手段）を含んでいる。
【００３４】
アンテナ１１は、基地局２０から到来する下りフレーム３０（マルチキャリア信号）を受信する。
無線受信部１２は、図示しない増幅器、周波数変換器、帯域通過フィルタ、直交復調器、低域通過フィルタなどからなり、無線周波数の下りフレーム３０をベースバンド周波数に変換する。
【００３５】
Ａ／Ｄ変換部１３は、下りフレーム３０のアナログ信号をディジタル信号に変換するＡ／Ｄ変換器である。
間引き処理部１４は、Ａ／Ｄ変換部１３から出力されるディジタル信号のサンプル点を、必要に応じて、一定の間隔で抜き取る処理を行う。
【００３６】
たとえば、後述のように、基地局２０の側における下りフレーム３０の生成において、ＮポイントのＩＦＦＴが行われた場合、本実施の形態では、間引き処理部１４は、一例として、間引き数をＮ／２ｍ（ｍ＝１，２，３・・・）、すなわち、Ｎ／２、Ｎ／４、Ｎ／８、・・・にする。
【００３７】
高速フーリエ変換部１５（ＦＦＴ）は高速フーリエ変換器である。
高速フーリエ変換部１５の前後には、Ｓ／Ｐ変換器１５ａおよびＰ／Ｓ変換器１５ｂが設けられている。
【００３８】
Ｓ／Ｐ変換器１５ａは、間引きしたディジタル信号をシリアル・パラレル変換（Ｓ／Ｐ変換）して高速フーリエ変換部１５に入力する。
Ｐ／Ｓ変換器１５ｂは、高速フーリエ変換部１５から出力される複数のサブキャリアを、パラレル・シリアル変換（Ｐ／Ｓ変換）して、復調処理部１６に出力する。
【００３９】
復調処理部１６は、サブキャリアの復調処理を行って、復調されたディジタルデータ上位の図示しない処理部に送出する。
本実施の形態の場合、復調処理部１６には、判定部１７が設けられている。
【００４０】
この判定部１７は、復調された下りフレーム３０に含まれる後述のダウンリンクマップ３２の情報から、当該無線端末装置１０及び他のユーザ（無線端末装置１０）のサブキャリア割り当て情報を取得し、間引き処理部１４による間引き（ＦＦＴのポイント数の変更）を実行した場合における折り返し信号の重なりの有無を判定する。また、判定結果に応じて、間引き処理部１４の動作を間引き制御信号１４ａによって制御する。
【００４１】
図３は、本実施の形態のＯＦＤＭＡ伝送システムにおける下りフレーム３０の構成例を示す概念図である。
本実施の形態の下りフレーム３０は、ＩＥＥＥ８０２．１６−２００４の標準仕様に含まれている下り信号のフレーム構成に準拠している。
【００４２】
すなわち、下りフレーム３０は、プリアンブル３１、ダウンリンクマップ３２、複数のサブキャリア３３を含む。
この図３の例では４ユーザが存在しており、複数のサブキャリア３３の各々に、それぞれ、＃１〜＃４の各々の無線端末装置１０に向けて送出される送信データである下りバースト＃１、下りバースト＃２、下りバースト＃３、下りバースト＃４が割り当てられている。
【００４３】
下りフレーム３０の先頭には同期処理などに用いられるプリアンブル３１が設けられ、その次には各ユーザに対するサブキャリア割り当て情報を含むＤＬ−ＭＡＰシンボル（ダウンリンクマップ３２）が設けられている。
【００４４】
本実施の形態では、基地局２０において下りフレーム３０を生成するための逆高速フーリエ変換（ＩＦＦＴ）のサイズ（Ｎポイント）は、一例として、Ｎ＝２０４８ポイントとする。下りフレーム３０は、基地局２０において２０４８ポイントのＩＦＦＴで信号生成される。
【００４５】
無線端末装置１０は、下りフレーム３０の受信において、始めにプリアンブル３１を含むシンボル、及びダウンリンクマップ３２（ＤＬ−ＭＡＰ）を含むシンボルを復号する。判定部１７は、この中のＤＬ−ＭＡＰの情報を読み取ることで、当該無線端末装置１０及び各ユーザ（他の無線端末装置１０）のサブキャリア割り当て情報を取得する。また下りフレーム３０の帯域幅は２０ＭＨｚとする。
【００４６】
図４に、ある時刻Ｔにおいて基地局が送信した下り信号を周波数領域で示す。２０ＭＨｚ帯域内には＃４の無線端末装置１０に宛てて送信された下りバースト＃４の信号のみが存在しており、他の端末の信号は存在していない。
【００４７】
図５に、無線端末装置１０においてＦＦＴサイズを２０４８ではなく１０２４（＝Ｎ／２）として受信した場合の受信信号を周波数領域で示す。０〜１０ＭＨｚに、下りバースト＃４の折り返し信号が現れている。実際には０〜１０ＭＨｚの信号のみが表示され、１０〜２０ＭＨｚの信号は表示されない。従って、＃４の無線端末装置１０では、０〜１０ＭＨｚに表示された信号を復調処理部１６においてサブキャリア復調し、復号することで、当該無線端末装置１０に向けて基地局２０から２０４８ポイントのＩＦＦＴで送信された、正しい受信データを得ることが可能である。
【００４８】
基地局２０の送信器で一つのＯＦＤＭＡシンボルをＮポイントＩＦＦＴして生成された信号は、一つのＯＦＤＭＡシンボルがＮサンプルとなり送信される。無線端末装置１０の受信処理系ではアンテナ１１から受信された信号を無線受信部１２（ＲＦ部）においてベースバンド信号に変換し、Ａ／Ｄ変換部１３（ＡＤＣ）によりディジタル信号に変換する。当該ディジタル信号は、一つのＯＦＤＭＡ信号がＮサンプルになっており、そのままＦＦＴを行うと、ＮポイントＦＦＴが行われる。
【００４９】
本実施の形態では、ＮポイントＦＦＴをＮ／２ポイントＦＦＴとするため、一つのＯＦＤＭＡシンボルがＮサンプルのディジタル信号を、間引き処理部１４において間引き処理をしてＮ／２サンプルの信号に変換する。その上で、Ｎ／２サンプルの信号をＦＦＴすると、Ｎ／２ポイントＦＦＴとなる。
【００５０】
無線端末装置１０の受信処理系では、始めに下りフレーム３０のダウンリンクマップ３２（ＤＬ−ＭＡＰ）を含むシンボルを、送信側のＩＦＦＴと同じＮポイントＦＦＴにより受信して、復号を行う。これにより、当該無線端末装置１０と他ユーザ（無線端末装置１０）（下りバースト＃１〜下りバースト＃４）に割り当てられるサブキャリア３３の帯域（ｆ１〜ｆ４）の情報を得る。
【００５１】
次に、帯域割り当て情報から、以降のＯＦＤＭＡシンボル（サブキャリア３３）に対するＦＦＴサイズを（Ｎ／２）ポイントに変更しても、他のユーザの送信データが自端のデータに重なるかどうかの判定を行う。重ならないと判断したときは、間引き処理部１４においてサンプリング数の間引きを行い、以降の各ＯＦＤＭＡシンボルに対してＦＦＴサイズを（Ｎ／２）ポイントに変更して受信する。
【００５２】
図６は、本実施の形態の無線端末装置１０の上述の作用を説明するフローチャートである。
無線端末装置１０は、下りフレーム３０を受信すると（ステップ１０１）、まず、基地局２０におけるＩＦＦＴと同じＮポイント（この場合、２０４８ポイント）で、ダウンリンクマップ３２を復調して、当該無線端末装置１０と、他の無線端末装置１０におけるサブキャリア割り当て情報を取得する（ステップ１０２）。
【００５３】
そして、判定部１７は、ユーザは一人か否か（すなわち、基地局２０の配下には当該無線端末装置１０のみが存在するか否か）を判別する（ステップ１０３）。
そして、図４のように、ユーザが一人の場合には、折り返しで他のユーザのデータと重なる懸念がないので、たとえば、間引き処理部１４においてディジタルデータのサンプリングを半分に間引き（ステップ１０４）、高速フーリエ変換部１５では、１０２４（＝Ｎ／２）ポイントで、ＦＦＴを実行することで（ステップ１０５）、複数のサブキャリア３３の分離および復調を行う（ステップ１０６）。
【００５４】
そして、復調された自端末（この場合、＃４）宛ての下りバースト＃４のデータを無線端末装置１０内の上位システムに送出する（ステップ１０７）。
一方、上述のステップ１０３で複数のユーザが存在すると判明した場合には、判定部１７は、間引き処理部１４における間引きを実行した場合の折り返し信号において、各ユーザのサブキャリア３３の帯域が重なるか否かを判別する（ステップ１０８）。
【００５５】
そして、重なり合うと判明した場合には、送信元の基地局２０のＩＦＦＴと同じＮポイント（この場合、２０４８ポイント）にて、高速フーリエ変換部１５におけるＦＦＴを実行する（ステップ１０９）。
【００５６】
また、上述のステップ１０８で折り返し信号が重ならないと判明した場合には、上述のステップ１０４以降のポイント数の間引きおよびＦＦＴの実行を行う。
すなわち、図７に例示されるように、基地局２０からの下りフレーム３０（送信信号）に下りバースト＃２と下りバースト＃３のみが２０ＭＨｚの周波数領域で存在する場合、無線端末装置１０の間引き処理部１４、高速フーリエ変換部１５において１０２４（＝Ｎ／２）ポイントに間引いてのＦＦＴを行った場合の受信信号は、周波数領域で図８に示すように、０〜１０ＭＨｚ帯域内の折り返し信号に下りバースト＃２と下りバースト＃３として、重なりあわずに、それぞれ現れる。
【００５７】
この場合、＃２と＃３の各々の無線端末装置１０では、自端末宛ての下りバースト＃２または下りバースト＃３の折り返し信号が他ユーザの信号と重ならないと判断し、ＦＦＴサイズを変更して受信することができる。
【００５８】
本実施の形態１によれば、無線端末装置１０における、複数のサブキャリア３３を含む下りフレーム３０のようなマルチキャリア信号の受信処理において、高速フーリエ変換でのポイント数を間引くことで、当該高速フーリエ変換に伴う演算量、計算時間、消費電力を削減することが可能となる。
【００５９】
すなわち、無線端末装置１０の回路規模の小型化、電池駆動の際の連続稼働時間の延長等の性能向上を実現できる。
また、基地局２０から送られてくる下りフレーム３０に随伴するダウンリンクマップ３２に格納されているサブキャリア割り当て情報に基づいて、無線端末装置１０の側で独自にＦＦＴのポイント数を変更するため、基地局２０の側における仕様変更等を必要とすることなく、無線端末装置１０の内部に閉じた形で実現でき、汎用性も高い。
【００６０】
間引き処理部１４、高速フーリエ変換部１５のＦＦＴにおけるポイント数の削減による信号の折り返しを利用するので、各ユーザが隣接サブキャリアを使用している場合でも、サブキャリアが互い違いに配置されている場合でも、サブキャリアの位置関係は変化しないので、多様なサブキャリアの割り当て方法に利用可能である。
（実施の形態２）
上述の実施の形態１では、間引き処理部１４によるポイント数の間引きによって、折り返し信号が重なり合う場合には、間引き処理を抑止して、送信側のＩＦＦＴと同一のＮポイントで、高速フーリエ変換部１５におけるＦＦＴを実行する場合（上述のステップ１０８、ステップ１０９）を例示した。
【００６１】
これに対して、本実施の形態２では、折り返し信号で無線端末装置１０の信号に重なり合う、他の無線端末装置１０の信号を、イメージフィルタによって除去することで、折り返し信号が重なる場合でも、間引き処理部１４および高速フーリエ変換部１５におけるポイント数の間引きを実現する例について説明する。
【００６２】
すなわち、図９に例示されるように、周波数領域で、送信信号に下りバースト＃２（ｆ２）と下りバースト＃４（ｆ４）が存在し、図１０に例示されるように、無線端末装置１０において１０２４（＝Ｎ／２）ポイントのＦＦＴを行った場合の受信信号において、０〜１０ＭＨｚ帯域内の折り返し信号のｆ２の位置に下りバースト＃２と下りバースト＃４が重なって現れる場合、信号を正常に受信することはできない。すなわち、そのままではＦＦＴサイズを変更することはできない。
【００６３】
そこで、本実施の形態２では、ＦＦＴサイズを変更すると自無線端末装置１０に割り当てられた帯域に他のユーザの信号が重なってしまう場合に、イメージ除去フィルタを適用して、他の無線端末装置１０の信号を除去する。
【００６４】
図１１に、本実施の形態２におけるイメージ除去のためのディジタルフィルタ１８（フィルタ手段）を有する無線端末装置１０の受信系の構成例を示す。
この無線端末装置１０では、上述の図１に例示した受信処理系の構成のＡ／Ｄ変換部１３（ＡＤＣ）と間引き処理部１４の間にディジタルフィルタ１８を挿入した構成となっている。
【００６５】
また図１２に、イメージ除去のためのアナログフィルタ１９（フィルタ手段）を有する無線端末装置１０の構成例を示す。このアナログフィルタ１９を用いる場合には、上述の図１に例示した受信処理系の構成の無線受信部１２と、Ａ／Ｄ変換部１３（ＡＤＣ）の間にアナログフィルタ１９が挿入される。
【００６６】
図１３に、本実施の形態２におけるディジタルフィルタ１８（もしくはアナログフィルタ１９）の特性例を示す。このディジタルフィルタ１８は、下りバースト＃３の帯域ｆ２を含む５ＭＨｚから１５ＭＨｚ辺りが通過帯域ｐｆ１であり、その外の帯域の信号は減衰される。このディジタルフィルタ１８を図９で示される送信信号（下りフレーム３０）を受信したときに適用すると、下りバースト＃２（ｆ２）の信号は通過して、下りバースト＃４（ｆ４）の信号は減衰される。
【００６７】
図１４に、ディジタルフィルタ１８の適用後にＦＦＴサイズを２０４８から１０２４に変更したときの受信信号を周波数領域で示す。下りバースト＃２に折り重なる信号はなく、正常に受信することができる。
【００６８】
すなわち、＃２の無線端末装置１０では、下りフレーム３０が、図９のような状態であっても、ディジタルフィルタ１８の通過帯域ｐｆ１が、下りバースト＃２の帯域ｆ１を包含するように制御することで、他の無線端末装置１０向けの下りバースト＃４に影響されることなく、正常に受信することができる。
【００６９】
ＩＥＥＥ８０２．１６−２００４やＩＥＥＥ８０２．１６ｅでは、下りと上りを合わせて１フレームを構成する。無線端末装置１０は、どのサブキャリア群（サブキャリア３３）を割り当てられるかはダウンリンクマップ３２（ＤＬ−ＭＡＰ）を受信するまで分からない。すなわち、＃１〜＃４と個々の無線端末装置１０との対応関係は、下りフレーム３０毎に変化する可能性がある。また、フレームごとにサブキャリア３３の割り当て帯域が変化する可能性がある。
【００７０】
従って、個々の無線端末装置１０の受信処理系では、数種類の特性のディジタルフィルタ１８（アナログフィルタ１９）を用意しておくのが良い。ダウンリンクマップ３２（ＤＬ−ＭＡＰ）を受信し、サブキャリア割り当て情報を得た上で、もしＦＦＴサイズを変更したときに自身に割り当てられた帯域に他ユーザの信号が重なると判断した場合は、数種類あるディジタルフィルタ１８もしくはアナログフィルタ１９の中から自身に割り当てられたサブキャリア３３の帯域に最も通過帯域が近いフィルタを選び帯域制限を行う。
【００７１】
図１５に、ＦＦＴサイズをＮからＮ／２に変更する場合に予め用意するディジタルフィルタ１８またはアナログフィルタ１９の特性群を示す。
図１５の中にはローパスフィルタ（通過帯域ｐｆ２）、バンドパスフィルタ（通過帯域ｐｆ１）、ハイパスフィルタ（通過帯域ｐｆ３）の３種類のフィルタが示されている。図１５中で区別を付けやすいように、バンドパスフィルタを点線で描いている。この例では、ローパスフィルタとバンドパスフィルタは５ＭＨｚ程度、通過帯域ｐｆ１と通過帯域ｐｆ２がオーバラップしているため、帯域幅５ＭＨｚ程度の信号であればどの帯域に割り当てられたとしても対応することができる。より広い帯域の信号には、フィルタの数を増やすことで対応可能である。
【００７２】
図１６に、ＦＦＴサイズをＮからＮ／４に変更する場合に予め用意するディジタルフィルタ１８またはアナログフィルタ１９の特性群を示す。図１６の中にはローパスフィルタ（通過帯域ｐｆ４）、５種類のバンドパスフィルタ（通過帯域ｐｆ５、通過帯域ｐｆ６、通過帯域ｐｆ７、通過帯域ｐｆ８、通過帯域ｐｆ９）、ハイパスフィルタ（通過帯域ｐｆ１０）の合計７種類が示されている。区別のため、バンドパスフィルタの一部は点線で描かれている。
【００７３】
尚、アナログフィルタ１９を用いる場合は、通過帯域を可変にすることができるチューナブルフィルタを用いても良い。この場合、図１２に例示されるように、判定部１７から帯域制御信号１９ａを入力することで、アナログフィルタ１９の通過帯域を可変に制御する。
【００７４】
図１７は、本実施の形態２における無線端末装置１０の動作の一例を示すフローチャートである。上述の図６と異なる部分のみ説明する。
この図１７のフローチャートでは、各ユーザの帯域が重なると判定された場合に（ステップ１０８）、ディジタルフィルタ１８またはアナログフィルタ１９を制御して、受信データであるサブキャリア３３群に対して上述のような帯域制限を行うこと（ステップ１２０）、が上述の図６と異なっている。
【００７５】
これにより、間引き処理部１４および高速フーリエ変換部１５におけるＦＦＴのポイント数の間引きを行った場合でも、折り返し信号において、自身（図１４の例では、たとえば＃２の無線端末装置１０）向けのデータに他の＃４のユーザのデータが重なり合うことを防止でき、高速フーリエ変換部１５におけるＦＦＴのポイント数の間引きを行った場合でも、正確に自身宛てのサブキャリア３３（この場合、下りバースト＃２）を受信できる。
【００７６】
このように、ディジタルフィルタ１８、ディジタルフィルタ１８等のイメージ除去フィルタを用いて帯域制限を行うことにより、高速フーリエ変換部１５におけるＦＦＴサイズの間引きによる折り返し信号の重なりを懸念することなく、間引き数を、たとえばＮ／２から、Ｎ／４、Ｎ／８、・・・のように、さらに大きくにすることができる。
【００７７】
すなわち、間引き数がＮ／４，Ｎ／８．．．のように大きくなると、折り返し回数が多く、自無線端末装置１０に割り当てられたサブキャリア３３に他の信号が重なりやすいが、本実施の形態２のように、ディジタルフィルタ１８、アナログフィルタ１９のようなイメージフィルタによる帯域制限と組み合わせることで、ＦＦＴサイズを小さくすることによる、高速フーリエ変換の演算量、計算時間、消費電力を削減できる確率が大きくなる。
【００７８】
換言すれば、複数の無線端末装置１０に対する送信信号と複数のサブキャリア３３の割り当て方法に影響されることなく、無線端末装置１０におけるマルチキャリア信号（下りフレーム３０）の受信処理での高速フーリエ変換に伴う演算量、計算時間、消費電力を削減することが可能となる。
（実施の形態３）
次に、無線端末装置１０の側における間引き処理部１４および高速フーリエ変換部１５におけるＦＦＴのポイント数の間引きを想定して、基地局２０の側で、折り返し信号の重なりを回避するように、各ユーザへのサブキャリア３３の割り当てを行う場合（第１割り当て方法）について例示する。
【００７９】
図１８は、本実施の形態３における基地局２０の送信処理系の構成の一例を示す概念図である。
基地局２０は、アンテナ２１、無線送信部２２、Ｄ／Ａ変換部２３、逆高速フーリエ変換部２４、信号生成部２５を含む、送信処理系を備えている。
【００８０】
信号生成部２５は、ディジタルの複数の送信データ＃１〜送信データ＃４を、下りフレーム３０における複数のサブキャリア３３の各帯域に割り当てて変調する処理、およびプリアンブル３１、ダウンリンクマップ３２の生成処理等を行う。
【００８１】
逆高速フーリエ変換部２４は、複数のサブキャリア３３に対するＮポイントのＩＦＦＴ（逆フーリエ変換）によって時間信号に変換する処理を行う。
Ｄ／Ａ変換部２３は、逆高速フーリエ変換部２４で生成された時間信号をアナログ信号に変換する処理を行う。
【００８２】
無線送信部２２は、このアナログ信号を無線周波数に変換する処理を行う。
Ｄ／Ａ変換部２３は、無線周波数の下りフレーム３０を無線端末装置１０に向けて放射する。
【００８３】
図１９のフローチャートにて、本実施の形態３の基地局２０の動作を説明する。
基地局２０の信号生成部２５は、まず、送信データを準備した後（ステップ２０１）、ユーザ（無線端末装置１０）の数が一つか否かを判別する（ステップ２０２）。
【００８４】
そして、ユーザ（無線端末装置１０）が複数の場合には、個々の無線端末装置１０において高速フーリエ変換部１５におけるＦＦＴのポイント数を送信時の値から間引いても、折り返し信号で各ユーザのデータ（たとえば下りバースト＃３と下りバースト＃４）が重ならないようにサブキャリア３３を割り当てる（ステップ２０３）。
【００８５】
その後、サブキャリアの変調を実行し（ステップ２０４）、さらに、逆高速フーリエ変換部２４において、Ｎ（２０４８）ポイントでＩＦＦＴを実行し（ステップ２０５）、Ｄ／Ａ変換部２３でアナログ信号に変換し（ステップ２０６）、無線送信部２２で無線周波数に変換してアンテナ２１から無線端末装置１０に向けて下りフレーム３０として送信する（ステップ２０７）。
【００８６】
なお、上述のステップ２０２で、ユーザが一人の場合には、任意のサブキャリア３３に対して当該ユーザの送信データを割り当てる（ステップ２０８）。この場合には、上述の図４および図５の場合に相当し、どのサブキャリア３３に送信データを割り当てても、無線端末装置１０において折り返し信号が重なる懸念はない。
【００８７】
本実施の形態３では、基地局２０の信号生成部２５が、上述のステップ２０３におけるサブキャリア３３に対する送信データの割り当てにおいて、図２０に周波数領域で示すように、送信信号の下りバースト＃３と下りバースト＃４のサブキャリア３３が隣り合うように互い違いに配置する。
【００８８】
この図２０のようにサブキャリア３３の割り当てが行われた下りバースト＃３および下りバースト＃４に対して、無線端末装置１０の受信処理系で１０２４（＝Ｎ／２）ポイントでＦＦＴを行った場合の受信信号を、図２１に周波数領域で示す。
【００８９】
各ユーザが隣接サブキャリアを割り当てられている元の図２０の場合と同様に、０〜１０ＭＨｚ帯域内の折り返し信号の下りバースト＃３と下りバースト＃４は重なっておらず、＃４（＃３）の無線端末装置１０は、自端末向けの下りバースト＃４（＃３）の信号を正常に受信することができる。
【００９０】
すなわち、下りフレーム３０を受信する無線端末装置１０の側において、ＦＦＴサイズの変更によって、高速フーリエ変換に伴う演算量、計算時間、消費電力の削減を実現できる確率が増す。
（実施の形態４）
次に、実施の形態４として、無線端末装置１０の側でＦＦＴサイズを変更すると信号が折り返しで重なることを利用して、基地局２０が、同一のデータを折り返し信号で重なり合うサブキャリア３３に割り当てることで、受信信号のＳＮ比を改善する例（第２割り当て方法）について説明する。
【００９１】
基地局２０の構成は、上述の実施の形態３の場合と同様である。また、この実施の形態４の場合のフローチャートを図２２に例示する。
この図２２のフローチャートでは、図１９のステップ２０２およびステップ２０３の代わりに、ステップ２１１およびステップ２１２を実行する点が異なっている。
【００９２】
すなわち、基地局２０の信号生成部２５において、サブキャリア３３に余裕がある場合（ステップ２１１）、図２３に示すように、下りフレーム３０の２つのサブキャリア３３に下りバースト＃２の同一データを割り当てる（ステップ２１２）。この２つのサブキャリア３３は、無線端末装置１０の間引き処理部１４および高速フーリエ変換部１５でＦＦＴサイズ（ポイント数）を変更したときに、折り返しで重なる位置に配置される。
【００９３】
このように配置された複数の下りバースト＃２は、そのままでは、無線端末装置１０において、図２４に例示されるように、振幅Ｌ０で周波数軸方向に離散的に受信される。
一方、無線端末装置１０がＦＦＴサイズを、基地局２０の２０４８（Ｎ）ポイントから１０２４（Ｎ／２）ポイントに変更して受信したときの受信信号を周波数領域で示すと図２５のようになる。１０ＭＨｚの帯域内において下りバースト＃２の信号電力（振幅Ｌ１）は、折り返しにより重なり合って元の値（図２４の振幅Ｌ０）よりも大きくなり、ＳＮ比が改善され、受信感度が向上することが分かる。
なお、本発明は、上述の実施の形態に例示した構成に限らず、その趣旨を逸脱しない範囲で種々変更可能であることは言うまでもない。
【００９４】
（付記１）
複数の無線端末装置に対する送信情報が割り当てられた複数のサブキャリアに対してＮポイント（Ｎは自然数）の逆高速フーリエ変換を行うことで生成されたマルチキャリア信号を受信する受信手段と、
前記マルチキャリア信号から複数の前記サブキャリアを取り出す高速フーリエ変換手段と、
前記高速フーリエ変換手段の前段に配置され、ディジタル化された前記マルチキャリア信号のサンプリング数を前記Ｎポイントから変化させることが可能な間引き手段と、
前記サンプリング数を前記Ｎポイントから変化させた場合に他の無線端末装置と自無線端末装置の前記サブキャリア同士が重なるか否かを、前記マルチキャリア信号に随伴するサブキャリア割り当て情報に基づいて判別し、前記間引き手段におけるサンプリング数を決定する判定手段と、
を含むことを特徴とする無線端末装置。
（付記２）
付記１記載の無線端末装置において、
前記判定手段は、前記サンプリング数を（Ｎ／２ｍ）ポイント（ｍは１以上の自然数）としたときに、他の無線端末装置と自無線端末装置の前記サブキャリア同士が重ならない場合に、前記間引き手段における前記サンプリング数を前記（Ｎ／２ｍ）ポイントに設定することを特徴とする無線端末装置。
（付記３）
付記１記載の無線端末装置において、
前記間引き手段の上流側に、自無線端末装置に割り当てられた前記サブキャリア信号を選択的に通過させるように前記マルチキャリア信号の帯域に制限を加えるフィルタ手段をさらに備えたことを特徴とする無線端末装置。
（付記４）
付記１記載の無線端末装置において、
前記フィルタ手段は、ディジタルフィルタからなることを特徴とする無線端末装置。
（付記５）
付記１記載の無線端末装置において、
前記フィルタ手段は、アナログフィルタからなることを特徴とする無線端末装置。
（付記６）
複数の無線端末装置に対する送信情報が割り当てられた複数のサブキャリアに対してＮポイント（Ｎは自然数）の逆高速フーリエ変換を行うことでマルチキャリア信号を生成して前記無線端末に送信する無線基地局の制御方法であって、
前記無線端末装置において、前記マルチキャリア信号に高速フーリエ変換を行って複数の前記サブキャリアを取り出すときのサンプリング数を前記Ｎポイントから変更したときに、前記サブキャリアの折り返し信号が重ならないように、前記送信情報の前記サブキャリアに対する割り当てを行う第１割り当て方法、
および前記無線端末装置において、前記マルチキャリア信号に高速フーリエ変換を行って複数の前記サブキャリアを取り出すときのサンプリング数を前記Ｎポイントから変更したときに折り返しの関係となる複数の前記サブキャリアに、同一の前記送信情報を割り当てる第２割り当て方法、
の少なくとも一方を、前記無線基地局に実行させることを特徴とする無線基地局の制御方法。
（付記７）
複数の無線端末装置に対する送信情報が割り当てられた複数のサブキャリアに対してＮポイント（Ｎは自然数）の逆高速フーリエ変換を行うことで生成されたマルチキャリア信号を受信する第１ステップと、
前記マルチキャリア信号に随伴するサブキャリア割り当て情報を取得する第２ステップと、
前記マルチキャリア信号に高速フーリエ変換を行って複数の前記サブキャリアを取り出すとき、前記サブキャリア割り当て情報に基づいて、サンプリング数を前記Ｎポイントから変化させる第３ステップと、
を含むことを特徴とする無線端末装置の制御方法。
（付記８）
付記７記載の無線端末装置の制御方法において、
前記第３ステップでは、前記サンプリング数を前記Ｎポイントから（Ｎ／２ｍ）ポイント（ｍは１以上の自然数）に変化させたときの個々の前記サブキャリアの折り返し信号が重ならない場合に、前記サンプリング数を前記（Ｎ／２ｍ）ポイントに間引くことを特徴とする無線端末装置の制御方法。
（付記９）
付記７記載の無線端末装置の制御方法において、
前記第３ステップでは、前記サンプリング数を前記Ｎポイントから（Ｎ／２ｍ）ポイント（ｍは１以上の自然数）に変化させたときの個々の前記サブキャリアの折り返し信号が重なる場合に、前記マルチキャリア信号に対して特定の前記サブキャリアを選択的に通過させる帯域制限を行った後に前記サンプリング数を前記（Ｎ／２ｍ）ポイントに間引くことを特徴とする無線端末装置の制御方法。
（付記１０）
付記７記載の無線端末装置の制御方法において、
ディジタルフィルタまたはアナログフィルタを用いて前記帯域制限を行うことを特徴とする無線端末装置の制御方法。
【図面の簡単な説明】
【００９５】
【図１】本発明の一実施の形態である無線端末装置の制御方法を実施する無線端末装置の受信処理系の構成の一例を示す概念図である。
【図２】本発明の一実施の形態である無線端末装置を含む無線通信システム（ＯＦＤＭＡ伝送システム）の構成の一例を示す概念図である。
【図３】本発明の一実施の形態であるＯＦＤＭＡ伝送システムにおける下りフレームの構成例を示す概念図である。
【図４】ある時刻において基地局が送信した下り信号を周波数領域で示す概念図である。
【図５】図４の下り信号を受信する無線端末装置においてＦＦＴサイズを間引いた場合の受信信号を周波数領域で示す概念図である。
【図６】本発明の一実施の形態である無線端末装置の作用を説明するフローチャートである。
【図７】ある時刻において基地局が送信した下り信号を周波数領域で示す概念図である。
【図８】図７の下り信号を受信する無線端末装置においてＦＦＴサイズを間引いた場合の受信信号を周波数領域で示す概念図である。
【図９】ある時刻において基地局が送信した下り信号を周波数領域で示す概念図である。
【図１０】図９の下り信号を受信する無線端末装置においてＦＦＴサイズを間引いた場合の受信信号を周波数領域で示す概念図である。
【図１１】本発明の他の実施の形態である、ディジタルフィルタを有する無線端末装置の受信系の構成例を示す概念図である。
【図１２】本発明の他の実施の形態である、アナログフィルタを有する無線端末装置の受信系の構成例を示す概念図である。
【図１３】本発明の一実施の形態である無線端末装置に備えられたディジタルフィルタもしくはアナログフィルタ等のイメージフィルタの特性例を示す概念図である。
【図１４】図９の下り信号にイメージフィルタを適用しＦＦＴサイズを間引いた場合の受信信号を周波数領域で示す概念図である。
【図１５】ＦＦＴサイズをＮポイントからＮ／２ポイントに変更する場合に予め用意するイメージフィルタの特性群を示す概念図である。
【図１６】ＦＦＴサイズをＮポイントからＮ／４ポイントに変更する場合に予め用意するイメージフィルタの特性群を示す概念図である。
【図１７】本発明の他の実施の形態である無線端末装置の作用を説明するフローチャートである。
【図１８】本発明の一実施の形態である基地局の構成の一例を示す概念図である。
【図１９】本発明の他の実施の形態である基地局の作用を説明するフローチャートである。
【図２０】本発明の一実施の形態である基地局から送信される下り信号を周波数領域で示す概念図である。
【図２１】図２０の下り信号を受信する無線端末装置においてＦＦＴサイズを間引いた場合の受信信号を周波数領域で示す概念図である。
【図２２】本発明の他の実施の形態である基地局の作用を説明するフローチャートである。
【図２３】２つのサブキャリアに同一データを割り当てる場合の下りフレームの構成例を示す概念図である。
【図２４】同一のデータを複数のサブキャリアに割り当てた下り信号を周波数領域で示す概念図である。
【図２５】図２４の下り信号を受信する無線端末装置においてＦＦＴサイズを間引いた場合の受信信号を周波数領域で示す概念図である。
【符号の説明】
【００９６】
１０  無線端末装置
１１  アンテナ
１２  無線受信部
１３  Ａ／Ｄ変換部
１４  間引き処理部
１４ａ  間引き制御信号
１５  高速フーリエ変換部
１５ａ  Ｓ／Ｐ変換器
１５ｂ  Ｐ／Ｓ変換器
１６  復調処理部
１７  判定部
１８  ディジタルフィルタ
１９  アナログフィルタ
１９ａ  帯域制御信号
２０  基地局
２１  アンテナ
２２  無線送信部
２３  Ｄ／Ａ変換部
２４  逆高速フーリエ変換部
２５  信号生成部
３０  下りフレーム
３１  プリアンブル
３２  ダウンリンクマップ
３３  サブキャリア
【図１】
2007259326.tif 000003
【図２】
2007259326.tif 000004
【図３】
2007259326.tif 000005
【図４】
2007259326.tif 000006
【図５】
2007259326.tif 000007
【図６】
2007259326.tif 000008
【図７】
2007259326.tif 000009
【図８】
2007259326.tif 000010
【図９】
2007259326.tif 000011
【図１０】
2007259326.tif 000012
【図１１】
2007259326.tif 000013
【図１２】
2007259326.tif 000014
【図１３】
2007259326.tif 000015
【図１４】
2007259326.tif 000016
【図１５】
2007259326.tif 000017
【図１６】
2007259326.tif 000018
【図１７】
2007259326.tif 000019
【図１８】
2007259326.tif 000020
【図１９】
2007259326.tif 000021
【図２０】
2007259326.tif 000022
【図２１】
2007259326.tif 000023
【図２２】
2007259326.tif 000024
【図２３】
2007259326.tif 000025
【図２４】
2007259326.tif 000026
【図２５】
2007259326.tif 000027